(57)【要約】本発明は、瓶またはこれに類するもののような背の高い容器に入った貯蔵品を収容するための、引出し状の引出し部（６）に関する。公知の引出し室の場合、この引出し室内に収納された瓶が、動かされると物音を生ぜしめるという問題が存在する。この問題は、本発明によれば、弾性的な複数の舌片（１６）を備えた、ダブルコームの形状の分離エレメント（７）によって解決される。これらの舌片（１６）は、分離エレメント（７）の両側に配置された瓶を、引出し室（６）の貯蔵室壁に対して緊締固定している。
2004507704.tif 000002
【特許請求の範囲】
【請求項１】
冷蔵庫のための引出しケースであって、該引出しケース（６）の、互いに対向して位置する壁（９）の間に延在していて、引出しケース（６）を２つの室に分割している分離エレメント（７）が設けられている形式のものにおいて、分離エレメント（７）が、その長さにわたって分配された状態で、複数のフレキシブルな舌片（１６）を保持しており、これらの舌片（１６）が、２つの室内に係合していることを特徴とする、冷蔵庫のための引出しケース。
【請求項２】
分離エレメント（７）がステー（１８）を有しており、該ステー（１８）に、フレキシブルな材料から成っていて舌片（１６）を保持している成形エレメント（１４）が被せ嵌められている、請求項１記載の引出しケース。
【請求項３】
ステー（１８）が、細長い横断面を有している、請求項２記載の引出しケース。
【請求項４】
ステー（１８′）が、その経過によって、１つの平面を規定している、請求項２記載の引出しケース。
【請求項５】
分離エレメント（７）が、上側のステー（１９）と下側のステー（１８，１８′）とを備えた四角形のフレーム（１３，１３′）を有しており、フレキシブルな舌片（１６）が、下側のステー（１８，１８′）に沿って配置されている、請求項１から４までのいずれか１項記載の引出しケース。
【請求項６】
分離エレメント（７）が、取外し可能に形成されている、請求項１から５までのいずれか１項記載の引出しケース。
【発明の詳細な説明】
【０００１】
本発明は、冷蔵庫のための引出しケースに関する。本発明は特に、瓶、例えばテトラパック（テトラパック社の登録商標名）のような軽いパッケージ（Ｌｅｉｃｈｔｖｅｒｐａｃｋｕｎｇｅｎ）の収容に適した引出しケース、一般的に言えば、縦長の容器に適した引出しケースに関する。このような引出しケースは、特に、本来の冷蔵室の温度と通常の室温との間の温度に保たれるいわゆる貯蔵室（Ｋｅｌｌｅｒｆａｃｈ）を備えた冷蔵庫で使用される。
【０００２】
そのような引出しケースを引き出す際に、ケース内に直立している瓶または他のドリンクパッケージがぐらつき始めることは、ほとんど避けられない。これらの容器が倒れることを可能な限り回避するためには、引出しケース内に、引き出し方向に対して横方向に方向付けられている取り出し可能な分離エレメントを設けることが公知である。この分離エレメントは、ケースの内部を２つの室に分割しており、これらの室の幅は、室内に収納すべき容器の、種々異なる寸法の幅に、程度の差こそあれ良好に適合させられている。しかしながら、そのような分離エレメントは、ケースの引き出しに際して容器が互いにかつケースの壁にぶつかることを回避することができない。これは、使用者にとって不快な物音の発生を伴うばかりでなく、不注意に取り扱うと、口を開けてしまって再び密閉することはできない軽いパッケージから中身がこぼれてしまうか、または極端なケースでは、ケースが部分的にしか詰められていないとパッケージが側方に倒れてしまう結果となることもあり得る。
【０００３】
大抵の冷蔵庫は扉の中に、バー付の、幅の狭い棚を有している。この棚は、瓶または他のドリンクパッケージを収容するために寸法設計されている。この場合、ドリンクパッケージが倒れるという問題を処理するためには、バーの内側に、扉に向かってかつ下方に向けられたフレキシブルな複数の舌片を配置することが提案されている。これらの舌片は、棚に立ててあるドリンクパッケージを、扉の内側に押し当てられた状態で保持しており、そのようにして、扉を開く時のドリンクパッケージのぐらつきを防止する。
【０００４】
そのような解決策は、引出しケースには応用することができない。１つには、引出しケースは通常、ドリンクパッケージの少なくとも２つの列が並んで収容されるように寸法設計されている。これらのドリンクパッケージの列は、ケースの壁に設けられた舌片の配置形式では、もはや十分に位置固定することができない。さらに、引出しケースをドリンクパッケージ以外の品物のためにも利用したいが、しかしながら舌片の配置形式が上述のように、例えば果物または野菜等の、冷蔵すべき他の品物のためにケースを利用することを妨げるという問題が生じる。
【０００５】
本発明の課題は、多数のドリンクパッケージを貯蔵することができ、その際、引出しケースの引き出し時にこれらのパッケージがぐらつき始めて、ひいては好ましくない物音を生ぜしめてしまうか、それどころかこれらのパッケージが倒れてしまうようなおそれのない、冷蔵庫のための引出しケースを提供することである。
【０００６】
この課題は、分離エレメントが、その長さにわたって分配されているフレキシブルな複数の舌片を備えており、これらの舌片が、分離エレメントによって規定された２つの室内に係合していることによって解決される。
【０００７】
分離エレメントは、有利には２つの部分から形成されており、すなわち、壁の間に延在している剛性的なステーと、フレキシブルな材料から成っていて舌片を保持している成形エレメントとを備えて形成されている。この成形エレメントは、ステーに被せ嵌められている。
【０００８】
引出しケースの室のうちの１つの室にしか詰められていない場合に成形エレメントが傾けられることを回避するために、ステーは、有利には成形エレメントによって掴まれる細長い横断面を有している。
【０００９】
成形エレメントの回動は、原則的には任意の横断面を有するステーの使用時に次のことによっても、すなわちステーが局所的に種々異なる方向を有していて、その際、この種々異なる方向が１つの平面を規定していることによっても回避され得る。
【００１０】
分離エレメントは、その有利な実施態様によれば、上側のステーと下側のステーとを備えた四角形のフレームであり、この場合、フレキシブルな舌片が、下側のステーに沿って配置されている。この下側のステーは、引出しケースの底部から、フレキシブルな舌片がそれぞれ引出しケース内に存在する瓶の胴に接触するような高さに延在しており、これに対して上側のステーは、典型的な飲料瓶の首の高さに延在している。したがって、上側のステーは瓶が倒れることを、瓶がフレキシブルな舌片に沿ってケースの底部に届くまで規則正しく入れられていない場合でさえもなお防止することができる。
【００１１】
引出しケースの、他の目的のための利用を容易にするために、分離エレメントは、有利には取り外し可能に形成されている。
【００１２】
本発明の他の特徴および利点は、添付の図に基づく以下の実施例の説明から明らかになる。
【００１３】
図１は、本発明による引出しケースを備えた冷蔵庫の斜視図、
図２は、本発明による分離エレメントを備えた引出しケースを分解して示した斜視図、
図３は、本発明の第２の実施例による分離エレメントのフレームを示す図である。
【００１４】
図１には、冷凍室２と冷蔵室３と貯蔵室４とが組み合わされた冷蔵庫１の斜視図が示されている。冷蔵室３の扉の内側には、ドリンクパッケージを収容するための、バー付の棚５が設けられている。
【００１５】
貯蔵室４は、本実施例では、ただ１つの引出しケース６を有しており、この引出しケース６は、テレスコープ式レール８を用いて冷蔵庫１から引き出し可能である。図１では一番上の領域しか示されていない分離エレメント７は、引出しケース６の２つの側壁９の間に延在している。引出しケース６は、例えば耐衝撃性のプラスチックを射出成形することによって一体的に成形されていてよい。
【００１６】
図２には、引出しケース６と分離エレメント７の個々の部分とを斜視的に見たところが、分解して示した斜視図で示されている。この視点は図２では、引出しケース６の、冷蔵庫１の見える側に向かって位置している前側の壁１０が観察者とは逆の側を向いているように、選択されている。引出しケース６が主領域１１と、主領域１１よりも浅い副領域１２とから構成されていることがわかる。このことによって生ぜしめられていて、副領域１２の下側に位置する切欠は、冷蔵庫１の内側室の壁の経過に適合させられている。これにより、副領域１２の下側に、冷蔵庫１の冷却系の圧縮機が収容され得る。
【００１７】
分離エレメント７は、本実施例では、例えば円形横断面を有する鋼管から成るほぼ方形のフレーム１３と、ラバーまたは軟質プラスチックから成る成形エレメント１４とを有している。この成形エレメント１４は、Ｕ字形またはＣ字形の横断面を有する細長い成形体１５を有している。この成形体１５の側方の２つの側面には、それぞれ斜め下の方向に方向付けられたフレキシブルな舌片１６の列が一体成形されている。成形エレメント１４は、矢印１７で示したように、フレーム１３の下側のステー１８に被せ嵌めるために設けられている。これによりステー１８は、成形体１５の脚部の間に位置することとなり、かつこれらの脚部の間に締め込まれる。
【００１８】
下側のステー１８における堅固な緊締を得るためには、成形体１５は、舌片１６の材料よりも硬い材料から形成されているか、またはより剛性的な材料によって局所的に強化されていてよい。
【００１９】
下側のステー１８は、本実施例では次のような目的で、すなわちステー１８に被せ嵌められた成形エレメント１４が瓶の接触によって一方の側の舌片１６しか負荷されない場合に回動させられ得ることを防止する目的で、平行な２つの管によって形成されている。もちろん、同じ効果を得るためには、平行な２つの管の代わりに、成形体１５の形状に適合させられた細長い横断面を有する一体的なステーを使用することもできるであろう。
【００２０】
フレーム１３の上側のステー１９の延長部には、下方に曲げられた２つの固定ピン２０が形成されている。両方の固定ピン２０は、ケース６の２つの側壁９に一体成形された対応するアイ２１内に矢印２２に沿って差し込むために、設けられている。分離エレメント７は、この形式で組み付けられている場合、引出しケース６の主領域１１を、それぞれドリンクパッケージの列の収納に適した深さを有する２つの室に分割している。舌片１６の先端は、典型的には、引出しケース６の底部から３ｃｍ〜１０ｃｍの高さに位置している。上側のステー１９の高さは、１５ｃｍ〜２０ｃｍであってよい。
【００２１】
図３には、分離エレメントのフレームの単純化された実施例が、符号１３′を付けられて示されている。固定ピン２０は、本実施例では省略されている。その代わりにフレーム１３′の、鉛直なステー２４が、それぞれ２つの側壁９に一体成形された突出部２３の間でガイドされ、かつケースの底部から所定の高さで保持されるために設けられている。フレーム１３′の下側のステー１８′は、上側のステー１９と鉛直なステー２４とによって規定された平面において、ジグザグ状に延びている。下側のステー１８′はこの形状付与によって、ステー１８′が円形の横断面を有する管から成形されている場合でも、被せ嵌められた成形エレメント１４の回動を防止することができる。もちろん、鉛直な平面における下側のステー１８′の、多数の別の経過も考えられ得る。特に、ステーが成形エレメント１４の端部の領域でそれぞれほぼ鉛直な区分を有していて、この区分が、成形エレメント１４の回動をこの区分自身において、成形エレメント１４の端部でも確実に防止していると、有利である。
【図面の簡単な説明】
【図１】本発明による引出しケースを備えた冷蔵庫の斜視図である。
【図２】本発明による分離エレメントを備えた引出しケースを分解して示した斜視図である。
【図３】本発明の第２の実施例による分離エレメントのフレームを示す図である。
【符号の説明】
１　冷蔵庫、　２　冷凍室、　３　冷蔵室、　４　貯蔵室、　５　棚、　６　引出しケース、　７　分離エレメント、　８　テレスコープ式レール、　９　側壁、　１０　壁、　１１　主領域、　１２　副領域、　１３　フレーム、　１３′　フレーム、　１４　成形エレメント、　１５　成形体、　１６　舌片、　１７　矢印、　１８　ステー、　１８′　ステー、　１９　ステー、　２０　固定ピン、　２１　アイ、　２２　矢印、　２３　突出部、　２４　ステー
【国際公開パンフレット】
2004507704.tif 000003
2004507704.tif 000004
2004507704.tif 000005
2004507704.tif 000006
2004507704.tif 000007
2004507704.tif 000008
2004507704.tif 000009
2004507704.tif 000010
2004507704.tif 000011
2004507704.tif 000012
2004507704.tif 000013
【国際調査報告】
2004507704.tif 000014
2004507704.tif 000015
2004507704.tif 000016
2004507704.tif 000017
2004507704.tif 000018
2004507704.tif 000019